(57)【要約】【課題】本体を小型化し、修理等にかかる維持コストを低減することができる自動改札機を提供する。【解決手段】自動改札機１は、利用者に対して改札通路の通行を許可しないと判定すると、カメラ４ａが撮像している、この利用者の撮像画像を処理して、利用者の身長を検出する。自動改札機１は、抑止画像形成部７が改札通路の出口側に、ホログラムによる抑止画像を利用者の身長に応じた高さに形成する。したがって、この自動改札機１では、改札通路の通行が許可されなかった利用者に対して、そのことを確実に認識させ、一旦進入した改札通路を戻らせることができる。【選択図】図４
2009294813.tif 000002
【特許請求の範囲】
【請求項１】
通路の入口側に配置され、該通路を通行する利用者が所持している通行券を受け付ける券受付手段と、
前記券受付手段が受け付けた通行券に記録されている券情報に基づいて、前記通路における利用者の通行を許可するかどうかを判定する判定手段と、
前記判定手段が前記通路の通行を許可しないと判定した利用者に対して、前記通路の通行を抑止する抑止手段と、を備え、
前記抑止手段は、可視像を通路の出口側に形成する手段である、ゲート装置。
【請求項２】
前記通路を通行している利用者の身長を検出する検出手段を備え、
前記抑止手段は、前記検出手段の検出結果に応じて、通路の出口側に形成する可視像の高さを変化させる手段である、請求項１に記載のゲート装置。
【請求項３】
前記抑止手段は、ホログラムによる可視像を形成する手段である、請求項１、または２に記載のゲート装置。
【発明の詳細な説明】
【技術分野】
【０００１】
この発明は、駅の改札口やテーマパークの入出場口等に設置され、利用者に対して通路の通行を処理するゲート装置に関する。
【背景技術】
【０００２】
従来、駅の改札口やテーマパークの入出場口等では、入出場する利用者の改札処理を自動改札機で行っている。自動改札機は、通路の入口側で、この通路に進入する利用者が所持している乗車券や入場券を受け付け、受け付けた乗車券や入場券に記録されている券情報を読み取る。自動改札機は、読み取った券情報に基づいて、通路における利用者の通行を許可するかどうか、すなわち利用者の入出場を許可するかどうか、を判定する。自動改札機は、この判定結果に基づいて、通路の出口側に設けた扉を開閉する。具体的には、この扉を開することによって、通路における利用者の通行を許可し、この扉を閉することによって、通路における利用者の通行を制限する。
【０００３】
また、扉に発光源を設け、閉状態であるときに、扉の発光源を点灯させる自動改札機が提案されている（特許文献１参照）。この自動改札機では、通路を通行している利用者における扉の開閉状態の認識率を上げることができる。したがって、利用者が、扉が閉状態であることに気づかず、この閉状態の扉に衝突する頻度を抑えることができる。
【特許文献１】実開平６−８６１６６号公報
【発明の開示】
【発明が解決しようとする課題】
【０００４】
しかしながら、従来の自動改札機は、上述したように、通路の出口側に設けた扉を開閉することによって、通路における利用者の通行を制限していた。このため、自動改札機には、開閉させる扉の移動空間を確保しなければならなかった。また、通路の入口から閉された扉までの距離を短くすると、利用者が扉が閉されたことに気づいても、立ち止まれずに、扉に衝突する可能性が高くなる。すなわち、通路を通行している利用者が閉状態の扉に衝突するのを抑えるには、通路の入口から、閉された扉までの距離を、ある程度確保する必要がある。したがって、自動改札機本体が大型になるという問題があった。
【０００５】
さらに、扉への利用者の衝突によって、自動改札機本体の破損、故障が生じ、これにともなう修理等にかかる維持コストが嵩むという問題もあった。
【０００６】
この発明の目的は、本体を小型化し、修理等にかかる維持コストについても低減することができるゲート装置を提供することにある。
【課題を解決するための手段】
【０００７】
この発明のゲート装置は、上記課題を解決し、その目的を達するために、以下のように構成している。
【０００８】
この発明にかかるゲート装置は、駅の改札口やテーマパークの入出場口等に設置し、利用者に対して改札処理を行う。通路の入口側に配置した券受付手段が、該通路を通行する利用者が所持している通行券を受け付ける。通行券とは、例えば、キップや定期券等の乗車券や、テーマパーク等の施設の入場券である。判定手段が、前記券受付手段が受け付けた通行券に記録されている券情報に基づいて、前記通路における利用者の通行を許可するかどうかを判定する。すなわち、利用者が所持している通行券が、適正な通行券であるかどうかを判定する。そして、前記判定手段が前記通路の通行を許可しないと判定した利用者に対して、抑止手段が可視像を通路の出口側に形成し、この通路における利用者（通行を許可しないと判定した利用者）の通行を抑止する。
【０００９】
このように、可視像を通路の出口側に形成することによって、通路の通行が許可されなかったことを、利用者に対して視覚的に認識させる。また、人は、自分の目の前に何らかの可視像が現れると、その可視像が障害物（物体）でないことを認識できても、立ち止まる。したがって、通路の通行を許可しなかった利用者に、そのことを確実に認識させ、通路を戻らせることができるので、適正な通行券を所持していない利用者が通路を通行することに対する抑止効果を低減することはない。また、通路における利用者の通行を制限する扉を無くすことができるので、本体の小型化や、修理等にかかる維持コストの低減が図れる。
【００１０】
また、抑止手段は、複数のレーザ光線を適当な方向に照射して編み目模様の可視像を形成してもよいし、ホログラムにより扉や駅係員等の可視像を形成してもよい。また、形成する可視像は、この可視像の向こう側が見えにくい像であるほうが好ましい。
【００１１】
さらに、可視像は、通路を通行している利用者の顔の正面に形成するのが好ましいので、前記通路を通行している利用者の身長を検出する検出手段を設け、前記検出手段の検出結果に応じて、抑止手段が通路の出口側に形成する可視像の大きさや、形成する高さ等を変化させる構成としてもよい。
【発明の効果】
【００１２】
この発明によれば、本体の小型化や、修理等にかかる維持コストの低減が図れる。
【発明を実施するための最良の形態】
【００１３】
以下、この発明の実施形態にかかる自動改札機について説明する。
【００１４】
図１は、この発明の実施形態である自動改札機の主要部の構成を示す図である。図２は、この自動改札機の外観を示す外観図である。この実施形態の自動改札機１は、駅の改札口に設置される。自動改札機１は、改札通路を通行する利用者が所持している乗車券（キップ、定期券、プリペイド券等）を受け付け、その乗車券に記録されている乗車券情報を読み取る。自動改札機１は、読み取った乗車券情報に基づいて、改札通路における利用者の通行可否を判定する。
【００１５】
自動改札機１は、制御部２と、乗車券処理部３と、高さ検出部４と、利用者検知部５と、表示部６と、抑止画像形成部７と、報知部８と、通信部９と、を備えている。制御部２は、自動改札機１本体各部の動作を制御する。乗車券処理部３は、改札通路を通行する利用者が所持している乗車券を受け付け、受け付けた乗車券に記録されている乗車券情報の読み取りや、書き込みを行う。乗車券には、乗車券情報を磁気データで記録している磁気券や、無線通信機能を有し、乗車券情報を内蔵メモリに記録している非接触ＩＣカード等がある。乗車券処理部３は、磁気券に記録されている乗車券情報の読み取りや、書き込みを行うための磁気ヘッドを有するとともに、非接触ＩＣカードとの間で無線通信を行うための無線通信部等を有している。磁気券を投入する投入口３ａや、非接触ＩＣカードとの無線通信エリアを形成するアンテナ３ｂは、改札通路の入口側に配置している。これらの構成については、公知であるので、ここでは説明を省略する。また、投入口３ａに投入された磁気券を利用者に返却する放出口３ｃを、改札通路の出口側に配置している。投入口３ａと、放出口３ｃとの間には、磁気券を搬送する搬送路が形成されている。この搬送路を搬送されている磁気券に対して、上述の磁気ヘッドを当接し、記録されている乗車券情報の読み取りや、乗車券情報の書き込みを行う。乗車券が、この発明で言う通行券に相当し、乗車券情報が、この発明で言う券情報に相当する。
【００１６】
高さ検出部４は、改札通路を通行している利用者の身長を検出する。具体的には、高さ検知部４は、改札通路の入口側を撮像するカメラ４ａを有し、このカメラ４ａで撮像した、改札通路に進入する利用者の撮像画像を処理し、撮像されている利用者の身長を検出する。図２では、カメラ４ａを自動改札機１本体に取り付けた場合を例示しているが、カメラ４ａの取り付け位置は、この位置に限定されることはなく、改札通路に進入する利用者が撮像できる位置であればよい。利用者検知部５は、改札通路に沿って並べた複数の利用者検知センサにより、改札通路を通行している利用者の位置を追従検知する。この利用者検知センサは、例えば、改札通路を挟んで発光素子と受光素子とを対向させて配置した透過型のセンサである。表示部６は、改札通路の出口側付近に設けた表示器６ａに、改札通路を通行している利用者に対する案内メッセージ等を表示する。
【００１７】
また、抑止画像形成部７は、ホログラムによる可視像（以下、抑止画像と言う。）を、改札通路の出口側に形成する。抑止画像形成部７は、高さ検出部４で検出した改札通路を通行している利用者の身長に応じて、改札通路の出口側に形成する抑止画像を高さや大きさ等変化させる。具体的には、抑止画像が改札通路を通行している利用者の顔の高さに形成されるように、ホログラムに照射するレーザ等の光線の照射角度を変化させたり、光線を照射するホログラムを変更する。
【００１８】
また、報知部８は、改札通路に進入した利用者が適正な乗車券を所持していなければ、その旨を報知する。通信部９は、図示していない駅サーバ等の上位装置との間におけるデータ通信を行う。例えば、動作時に用いる設定情報を上位装置から取得するためのデータ通信や、改札処理の処理結果を上位装置に通知するデータ通信を行う。
【００１９】
なお、この自動改札機１は、改札通路の出口側付近に、改札通路の通行を制限する扉や、この扉を開閉する構成を備えていない
次に、この自動改札機１の動作について説明する。図３は、この自動改札機の動作を示すフローチャートである。自動改札機１は、乗車券処理部３で改札通路に進入する利用者の乗車券を受け付けると（ｓ１）、受け付けた乗車券に記録されている乗車券情報を読み取る（ｓ２）。自動改札機１は、ｓ２で読み取った乗車券情報（乗車券の有効期間や、有効区間等）に基づいて、改札通路における利用者の通行を許可するかどうかを判定する（ｓ３）。
【００２０】
自動改札機１は、ｓ３で利用者に対して改札通路の通行を許可すると、乗車券処理部３が今回受け付けた乗車券への通過情報等の記録を行う（ｓ４）。通過情報には、この自動改札機１が設置されている駅（所謂、入出場駅）を示す駅コード、通過日時を示す日時コード、入出場の種別を示す入出場コード等が含まれている。入出場の種別は、自動改札機１の用途によって決まる。すなわち、駅構内に入場する利用者に対して改札処理を行う入場用の自動改札機１では、入出場の種別は入場になり、駅構内から出場する利用者に対して改札処理を行う出場用の自動改札機１では、入出場の種別は出場になる。また、乗車券処理部３は、今回受け付けた乗車券が磁気券である場合には、必要に応じて回収することもある。
【００２１】
自動改札機１は、今回改札通路の通行を許可した利用者の位置を利用者検知部５で検知し、この利用者が改札通路を通って、駅構内に入場、または駅構内から出場すると（ｓ５）、ｓ１に戻って、上記処理を繰り返す。
【００２２】
一方、自動改札機１は、ｓ３で利用者に対して改札通路の通行を許可しないと判定すると、カメラ４で撮像している、この利用者の撮像画像を高さ検出部４に取り込む（ｓ６）。高さ検出部４は、取り込んだ撮像画像を処理して、利用者の身長を検出する（ｓ７）。ｓ７では、例えば、撮像画像における利用者の顔の位置と、この撮像画像の撮像時に利用者検知部５で検知されていた改札通路における利用者の位置（カメラ４ａから利用者までの距離）と、に基づいて利用者の身長を検出する。
【００２３】
自動改札機１は、抑止画像形成部７が改札通路の出口側に、ホログラムによる抑止画像を形成する（ｓ８）。抑止画像形成部７は、抑止画像を、ｓ７で検出した利用者の身長に応じた高さに形成する。抑止画像形成部７は、ホログラムに照射するレーザ等の光線の照射角度を変化させたり、光線を照射するホログラムを変更することによって、抑止画像を利用者の顔の正面に形成する。例えば、図４（Ａ）、（Ｂ）に示すように、改札通路の通行を許可しないと判定した利用者の身長に応じて、抑止画像である、警備員の画像の大きさを変化させる。図４では、図４（Ａ）に示す利用者のほうが、図４（Ｂ）に示す利用者よりも身長が高い場合を例にしている。また、ここでは、抑止画像がともに、警備員の画像である場合を例にしているが、利用者の身長に応じて画像の種類を異ならせてもよい。また、この抑止画像の種類は、どのような画像であってもよいが、反対側が見えにくい、透過性の低い画像であるほうが好ましい。
【００２４】
自動改札機１は、ｓ８で抑止画像を形成すると、報知部８が警報報知を開始する（ｓ９）。自動改札機１は、通行を許可しなかった利用者が、一旦進入した改札通路を戻って通路外に出るか、または、改札通路を強行突破するのを待つ（ｓ１０、ｓ１１）。利用者検知部５が、通行を許可しなかった利用者が、一旦進入した改札通路を戻って通路外に出たのか、または、改札通路を強行突破したのかを検知する。自動改札機１は、通行を許可しなかった利用者が、一旦進入した改札通路を戻って通路外に出ると、抑止画像形成部７による抑止画像の形成や、報知部８による警報報知を停止し（ｓ１２）、ｓ１に戻る。
【００２５】
一方、自動改札機１は、改札通路の通行を許可しないと判定した利用者が、改札通路を戻らずに強行突破したときには、ｓ６で高さ検出部４に取り込んだ、この利用者の撮像画像を記録保存し（ｓ１３）、上述のｓ１２以降の処理を行う。この撮像画像は、強行突破された日時等を対応付けて、図示していないハードディスク等の記録媒体に記録してもよいし、通信部９から上位装置に送信し、上位装置で記録保存する構成としてもよい。
【００２６】
このように、この自動改札機１は、改札通路の通行を許可しないと判定した利用者の顔の正面に抑止画像を形成する。人は、自分の目の前に何らかの可視像が現れると、その可視像が障害物（物体）でないことを認識できても、立ち止まる。したがって、この自動改札機１では、改札通路の通行が許可されなかった利用者に対して、そのことを確実に認識させ、一旦進入した改札通路を戻らせることができる。特に、抑止画像を駅係員や警備員等の画像にすれば、通行が許可されなかった利用者による、改札通路の強行突破に対する抑止力も確保できる。また、改札通路を強行突破した利用者については、そのときの撮像画像を記録保存するので、改札通路の強行突破に対する抑止力を十分に確保できる。
【００２７】
また、従来の自動改札機のように、扉の開閉によって、改札通路における利用者の通行を物理的に制限する構成ではないので、本体の小型化や、利用者の衝突にともなう本体の破損、故障の修理等にかかる維持コストの低減が図れる。
【００２８】
また、改札通路の通行を許可した利用者については、高さ検出部４で利用者の身長を検出しない構成としているので、自動改札機１本体の処理負荷が抑えられる。
【００２９】
なお、上記の実施形態では、ホログラムにより、抑止画像を形成するとしたが、図５（Ａ）、（Ｂ）に示すように、複数本のレーザ光線で編み目模様の抑止画像を形成してもよい。この場合には、図５（Ａ）、（Ｂ）に示すように、改札通路の通行を許可しないと判定した利用者の身長に応じて、レーザ光線の上方照射角度を変化させ、抑止画像を、この利用者の顔の正面に形成すればよい。図５では、図５（Ａ）のほうが、図５（Ｂ）よりも、改札通路の通行を許可しなかった利用者の身長が高い。
【００３０】
また、本願発明は、遊園地やテーマパーク等の施設に入出場する利用者に対して改札処理を行うゲート装置や、セキュリティルーム等に入退室する利用者に対して入退出処理を行うゲート装置等にも適用できる。
【図面の簡単な説明】
【００３１】
【図１】自動改札機の主要部の構成を示す図である。
【図２】自動改札機の外観を示す外観図である。
【図３】自動改札機の動作を示すフローチャートである。
【図４】形成される抑止画像を説明する図である。
【図５】形成される抑止画像を説明する図である。
【符号の説明】
【００３２】
１−自動改札機
２−制御部
３−乗車券処理部
４−高さ検出部
５−利用者検知部
６−表示部
７−抑止画像形成部
８−報知部
９−通信部
【図１】
2009294813.tif 000003
【図２】
2009294813.tif 000004
【図３】
2009294813.tif 000005
【図４】
2009294813.tif 000006
【図５】
2009294813.tif 000007